(57)【要約】【課題】簡単な構成で多様なゲージ構成を実現できる遊技盤構造を提供すること。【解決手段】弾球遊技機の遊技盤構造は、複数の貫通孔を有する釘プレートと、前記貫通孔に各々が移動可能に挿通されかつ前記釘プレートの厚み方向において付勢された複数の釘と、前記付勢力と反対方向の力を付与することにより、前記複数の釘のうちの所定の釘のみを選択的に前記釘プレートの表面から突出せしめる釘選択手段と、を含む。【選択図】図７
2009207725.tif 000002
【特許請求の範囲】
【請求項１】
複数の貫通孔を有する釘プレートと、
前記貫通孔に各々が移動可能に挿通されかつ前記釘プレートの厚み方向において付勢された複数の釘と、
前記付勢力と反対方向の力を付与することにより、前記複数の釘のうちの所定の釘のみを選択的に前記釘プレートの表面から突出せしめる釘選択手段と、
を含むことを特徴とする弾球遊技機の遊技盤構造。
【請求項２】
前記釘選択手段は、前記釘プレートの裏面に対向密接して前記複数の貫通孔のうちの所定の貫通孔に挿通する突起を有する押圧プレートであることを特徴とする請求項１記載の遊技盤構造。
【請求項３】
前記釘選択手段は、前記釘プレートの表面に対向密接して前記複数の貫通孔のうちの所定の貫通孔に対向した釘突出許容孔を有する押圧プレートであることを特徴とする請求項１記載の遊技盤構造。
【請求項４】
前記釘選択手段は、前記釘プレートの裏面に対向密接して前記複数の貫通孔のうちの所定の貫通孔に対向した釘収容孔を有する押圧プレートであることを特徴とする請求項１記載の遊技盤構造。
【請求項５】
複数の貫通孔を有する釘プレートと、
前記貫通孔に各々が出没自在に挿通された複数の釘と、
前記複数の釘を前記釘プレート内の所定位置に保持する手段と、  
前記保持手段の保持力に打ち勝って、前記複数の釘のうちの所定の釘のみを選択的に移動し、前記釘プレートの表面から突出せしめる押圧プレートと、
を含むことを特徴とする弾球遊技機の遊技盤構造。
【請求項６】
前記釘プレートと前記押圧プレートとは互いに着脱自在に対向密接していることを特徴とする請求項２、３、４又は５記載の遊技盤構造。
【発明の詳細な説明】
【技術分野】
【０００１】
本発明は弾球遊技機の遊技盤構造に関し、特に、障害釘を出没可能にした遊技盤構造に関する。
【背景技術】
【０００２】
一般的にパチンコ機の遊技盤には多数の障害釘が設けられている。通常、障害釘は遊技盤に打ち付けられて固定されているが、障害釘を可動にした構成も知られている。例えば、特許文献１（実開平５−５３６８７号公報）には、複数組の障害釘群を電気的駆動源により遊技盤面上に交互に出没させるようにしたパチンコ機が開示されている。図１は特許文献１の概要を示した図である。符号２４ａ、２４ｂ、２４ｃが１つの障害釘の組（障害釘群）であり、符号２５ａ、２５ｂが別の障害釘の組（障害釘群）である。上記障害釘群２４ａ−２４ｃまたは２５ａ、２５ｂが遊技盤１０面上にソレノイド３０により交互に出没するようになっている。一方の障害釘群２４ａ−２４ｃが突出した状態と他方の障害釘群２５ａ、２５ｂが突出した状態とを比べると、障害釘群の下方に位置する入賞口１６へのパチンコ球入賞率が異なる。よって、入賞口１６への入賞率を変えるために、障害釘をハンマーでたたいて障害釘の間隔や向きを変える必要はない。尚、符号２０は障害釘装置、２１は取付基板、２２ａ−２２ｃ、２３ａ、２３ｂは出没穴、２６は枠体、２７ａ、２７ｂは植立部材、２８は支持部材、２８ａは支軸、２９は揺動レバー、３１はプランジャである。
【０００３】
その他の例としては、特許文献２（特開平７−３０８４３０号公報）に開示された構成がある。図２（ａ）、（ｂ）、（ｃ）は特許文献２の概要を示した図である。図２（ａ）に示されているように、発射レール（仕切りレール）１１側の経路１４近傍に出没可能な釘４２が設けられている。この釘４２は、一旦遊技領域１２に出たパチンコ球が発射レール（仕切りレール）１１側の経路１４に戻るのを防止するためのものである。一旦遊技領域１２に打ち出されたパチンコ球はこの釘４２に当たり下方に向かうので、発射レールから打ち上げられて来るパチンコ球（発射球）と衝突することはない。よって、円滑なパチンコ球の供給が確保される。所定時間経過後に上記釘（戻り防止釘）４２は引き込められる。戻り防止釘４２を遊技盤に突出させたり引き込んだりする動作は、戻り防止装置４０により行われる。図２（ｂ）は戻り防止釘４２が引き込められた状態を示し、図２（ｃ）が戻り防止釘４２を突出させた状態を示している。電磁ソレノイド４１の非励磁、励磁に応じて戻り防止釘４２が出没する。尚、符号１２ｅは左側風車、１２ｆ、１２ｇは遊技釘、１３は通過レール、４１ａは可動部、４１ｂはバネ、Ｓは発射球通過領域である。
【特許文献１】実開平５−５３６８７号公報
【特許文献２】特開平７−３０８４３０号公報
【発明の開示】
【発明が解決しようとする課題】
【０００４】
特許文献１では、遊技者から見た場合、３本の遊技釘２４ａ、２４ｂ、２４ｃが遊技盤面に出るか、２本の遊技釘２５ａ、２５ｂが遊技盤面にでるかという違いだけであり、パチンコ機のゲージ構成（パチンコ機全体の釘の配置・配列）を変えるものではない。
【０００５】
特許文献２では、レール近傍において１本の釘（戻り防止用の釘）４２が遊技盤面に出没するだけであり、やはり、パチンコ機のゲージ構成を変えるものではない。また、釘４２は遊技釘ではない。
【０００６】
本発明の１つの目的は、簡単な構成で多様なゲージ構成を実現できる遊技盤構造を提供することである。
【０００７】
本発明の他の目的は、リサイクル使用しやすい遊技盤構造を提供することである。
【課題を解決するための手段】
【０００８】
本発明によれば、複数の貫通孔を有する釘プレートと、
前記貫通孔に各々が移動可能に挿通されかつ前記釘プレートの厚み方向において付勢された複数の釘と、
前記付勢力と反対方向の力を付与することにより、前記複数の釘のうちの所定の釘のみを選択的に前記釘プレートの表面から突出せしめる釘選択手段と、
を含むことを特徴とする弾球遊技機の遊技盤構造が提供される。
【０００９】
前記複数の釘には予め所定方向に付勢力が付与されている。例えば、釘を釘プレートの表側から裏側へ押す方向に付勢力が付与されている。前記釘選択手段は当該付勢力とは反対方向の力を前記釘に付与する（例えば、釘を釘プレートの裏側から表側へ押し出す方向に力を付与する）ので、この力が付与された釘だけが釘プレート（遊技盤）表面に出てくることになる。
【００１０】
上記付勢力が釘を釘プレートの裏側から表側を押す方向に作用している場合、前記釘選択手段は釘を釘プレートの表側から裏側へ押し込む力を付与することになる。この場合、上記力が付与されない釘だけが釘プレート（遊技盤）表面に突出した状態で残ることになる。
【００１１】
好ましくは、前記釘選択手段は、前記釘プレートの裏面に対向密接して前記複数の貫通孔のうちの所定の貫通孔に挿通する突起を有する押圧プレートである。あるいは、前記釘選択手段は、前記釘プレートの表面に対向密接して前記複数の貫通孔のうちの所定の貫通孔に対向した釘突出許容孔を有する押圧プレートであってもよい。あるいは、前記釘選択手段は、前記釘プレートの裏面に対向密接して前記複数の貫通孔のうちの所定の貫通孔に対向した釘収容孔を有する押圧プレートであってもよい。好ましくは、前記釘プレートと前記押圧プレートとは互いに着脱自在に対向密接している。
【００１２】
さらに、本発明によれば、複数の貫通孔を有する釘プレートと、
前記貫通孔に各々が出没自在に挿通された複数の釘と、
前記複数の釘を前記釘プレート内の所定位置に保持する手段と、  
前記保持手段の保持力に打ち勝って、前記複数の釘のうちの所定の釘のみを選択的に移動し、前記釘プレートの表面から突出せしめる押圧プレートと、
を含むことを特徴とする弾球遊技機の遊技盤構造が提供される。
【００１３】
この遊技盤構造においては、釘に付勢力を付与していない。その代わりに、釘を所定位置に保持するようにしている。
【００１４】
好ましくは、前記釘プレートと前記押圧プレートとは互いに着脱自在に対向密接している。
【発明の効果】
【００１５】
どのようなゲージ構成を採用するかは、釘選択手段の構造だけで決めることができる。すなわち、同じ釘プレートと同じ釘を採用しても、異なる釘選択手段を使用すれば、多様なゲージ構成を提供することができる。これは、特に、遊技機のゲージ構成の設計段階で有用である。
【００１６】
また、上記遊技盤構造を採用している遊技機（古い遊技機）を廃棄して、新しいゲージ構成を有する遊技機を設置する場合、古い遊技機のから遊技盤構造を取り出し、釘選択手段だけを交換すればよい。すなわち、古い遊技機で使用していた釘プレートと釘をリサイクル使用することができる。
【００１７】
本発明では、釘を釘プレートに打ち付けていないので、釘の着脱・交換が容易にできる。リサイクルの際に釘と釘プレートを分離するが、その作業工程を簡便にすることができる。釘の固定は、釘プレートと押圧プレートとの密着により達成される。
【発明を実施するための形態】
【００１８】
以下、本発明の実施例を添付図面に基づいて説明する。尚、以下の説明において、弾球遊技機の一例としてパチンコ機を説明する。本実施例では遊技球はパチンコ球である。尚、下記の説明において右、左、上、下、横、表、裏等の表現が使用されているが、これは図面で見た場合の方向または遊技者が遊技機をみた場合の方向を意味している。
【００１９】
図３はパチンコ機５０の外観斜視図である。パチンコ機５０は、本体枠５１と、本体枠５１の内部に配置された遊技盤５２と、遊技盤５２の前方に設けられて本体枠５１に対して開閉自在な前面枠５３とを有する。前面枠５３には前面ガラス５４が開閉自在に取り付けられている。尚、図３においては、遊技盤５２及び遊技領域５２ａの詳細は省略されている（図４に基づいて後述する）。
【００２０】
図３に示されているように、前面枠５３の下方には下扉枠５５が設けられている。下扉枠５５には、遊技者が保有するパチンコ球を収容する受皿５６と、パチンコ球の発射速度等を制御・調整するハンドル５７が設けられている。ハンドル５７は、パチンコ機５０の右側下部に配置されている。ハンドル５７には、人体が触れると接触信号を生成する接触検知センサ６４（図５）が設けられている。接触検知センサ６４から出力される接触信号は、パチンコ機５０の背面側に設けられた制御装置６０（図５）に入力される。遊技者はハンドル５７を操作することにより、遊技領域５２ａに向けてパチンコ球を打ち出すことができる。また、ハンドル５７には、所定の角度範囲内で回動自在な打出し調整部５８が設けられている。打出し調整部５８は、パチンコ機５０の背面側に設けられたパチンコ球の発射装置６６（図５）を駆動させる操作スイッチであり、打出し調整部５８を基準位置から時計回り方向に回動すると発射装置６６が作動するようになっている。
次に図４を参照する。図４は図３のパチンコ機５０の遊技盤５２だけを取り出した状態を示している。尚、説明及び図示を簡単にするためにチャッカーは１つ（スタートチャッカー７３）しか示していない。
【００２１】
遊技盤５２は、その盤面上にガイドレール５９で囲まれた遊技領域５２ａを備えており、遊技領域５２ａに向けてパチンコ球が打ち出される。遊技盤５２には、パチンコ球の流下方向を変化せしめる遊技釘７０が多数設けられている。また、遊技領域５２ａの中央上部には、デジタル表示部７２が設けられている。デジタル表示部７２の下方にはスタートチャッカー（入賞口）７３が設けられ、その下方にはアタッカー７４が設けられている。スタートチャッカー７３の左右には複数の風車７１が設けられている。遊技領域５２ａの最下部には入賞しなかったパチンコ球を回収するアウト口７５が設けられている。遊技者により打ち出されたパチンコ球はガイドレール５９に沿った打出通路を上昇し、遊技領域５２ａに入った後に遊技領域５２ａを流下し、スタートチャッカー７３またはアウト口のいずれかに入る。
【００２２】
デジタル表示部７２は、パチンコ球がスタートチャッカー７３に入ると起動される。スタートチャッカー７３には球通過検知センサ６２（図５）が備えられている。パチンコ球がスタートチャッカー７３に入ると（通過すると）、所定数の賞球が受皿５６に払い出されると共に、スタートチャッカー７３に付随している球通過検知センサ６２が球通過検知信号を制御装置６０（図５）に送信する。制御装置６０は、スタートチャッカー７３の球通過検知信号を受信した場合には所定プログラムに従いデジタル表示部７２を駆動する。これと同時に当たり・外れの抽選がプログラム上で行われ、抽選の結果、当たりになると、デジタル表示部が例えば、「７７７」という３つの数字を表示すると共に、アタッカー７４が開閉動作を開始する。アタッカー７４を開閉させる場合、制御装置６０は、羽根開閉機構６５（図５）に開閉駆動信号を供給する。尚、図４はアタッカー７４が閉じられた状態を示している。
【００２３】
次に、図５を参照する。パチンコ機５０の制御装置６０には、電源供給ラインを介して電源６１が接続されている。制御装置６０には、ハンドル５７に設けられた接触検知センサ６４及び打出し調整部５８が接続されており、センサ６４からの検知信号及びハンドル５７の操作状況の信号を受信することができるようになっている。制御装置６０は、通過検知センサ６２からの検知信号に応じて、アタッカー（羽根）７４を駆動させる羽根開閉機構６５を制御する。また、制御装置６０は、接触検知センサ６４及び打出し調整部５８からの信号に基づいて発射装置６６を駆動させる。さらに、制御装置６０は、遊技状態の変化に伴ってランプ等の電飾装置６７、大当たり状態時に賞球を払い出す賞球払出装置６８、遊技状態に異常が発生した時に異常を告知する異常告知装置６９等を制御する。
【００２４】
次に、図６、図７及び図８を参照して遊技盤５２の詳細な構造を説明する。
【００２５】
図６は図４の遊技盤５２からガイドレール５９、風車７１、デジタル表示部７２、スタートチャッカー７３、アタッカー７４、電飾装置６７等を取り除いた状態を示している。符号７２ａはデジタル表示部７２を取り付けるための開口部であり、符号７３ａはスタートチャッカー７３を取り付けるための開口部であり、符号７４ａはアタッカー７４を取り付けるための開口部である。符号７５はアウト口である。
【００２６】
図７は図６の状態にされた遊技盤５２を裏から見た展開斜視図である。図７では、遊技盤５２を分解して（２つのプレート７８と８０を引き離して）示している。プレート７８と８０は着脱自在である。本実施例のパチンコ機５０にあっては、遊技盤５２は釘プレート７８と押圧プレート８０からなっている。釘プレート７８の外周には逆Ｕ字型の枠８２が取り付けられている。押圧プレート８０の上縁と下縁には折返し部８０ａ、８０ｂが形成されている。これら折り返し部８０ａ、８０ｂが釘プレート７８の枠８２に係合する。釘プレート７８には多数の遊技釘７０が設けられている。釘プレート７８には遊技釘７０と同じ数の貫通孔８４（図８）が形成されている。遊技釘７０は釘プレート７８に打ち付けられていない。図７の状態において、遊技釘７０は釘プレート７８に固定されていない。各遊技釘７０は各貫通孔８４（図８）に移動可能に挿通され、釘プレート７８の厚さ方向において付勢されている。本実施例では、遊技釘７０は遊技盤の表から裏に向かう方向（図８の矢印Ａ方向。図７では紙面右斜め下方向）に付勢されている。図７の状態において（つまり図８の状態において）、遊技釘７０は釘プレート７８から遊技盤表側へ突出していない。
【００２７】
押圧プレート８０には複数の釘孔（釘収容孔）８５が形成されている。本実施例では釘孔８５の数は遊技釘７０の数より少ない。釘孔８５は遊技釘７０のうちの所定の遊技釘に対してのみ設けられている。所定の遊技釘とは遊技盤５２表面に突出すべきでない釘である。それ以外の遊技釘は遊技盤５２表面に突出することになる。つまり、図７の状態から押圧プレート８０を釘プレート７８の裏面７８ａに取り付ける（密接させる）と、上記所定の遊技釘は釘孔８５を通りそのままの状態（遊技盤５２表面に突出しない状態）を維持し、それ以外の遊技釘は押圧プレート８０に押されて遊技盤５２表面に突出する。上記「それ以外の遊技釘」が遊技盤５２（あるいは押圧プレート８０）表面に突出した状態が図６の状態である。上述したように遊技釘７０には遊技盤５２の表面側から裏面方向に付勢力Ａが予め与えられている。押圧プレート８０の釘孔８５以外の部分によって押し出される遊技釘のみが、上記付勢力に打ち勝って選択的に釘プレート７８の表面７８ｂ側に出ることができるようになっている。遊技釘７０の後端には直方体形状の補強部（釘後端ヘッド）７６が取り付けられている。補強部７６は、押圧プレート８０が遊技釘７０を押すときに、遊技釘７０と押圧プレート８０との接触面積を大きくし、押圧プレート８０から付与される力が遊技釘７０に適切に伝達されるようにしている。補強部７６の大きさは、釘孔８５を通過できるものである。尚、釘プレート７８と押圧プレート８０には、同じ位置に４つの開口部７２ａ、７３ａ、７４ａ、７５が形成されている。釘プレート７８は例えば、アクリル板である。
【００２８】
図８は遊技釘７０の付勢力を説明するための図である。釘プレート７８には厚さ方向に貫通孔８４が形成されている。図８はそのうちの１つ貫通孔８４を示している。貫通孔８４は、釘プレート７８の表面７８ｂ側から、第１大径部８４ｃ、小径部８４ａ、第２大径部８４ｂを有している。そして、遊技釘７０の補強部７６と貫通孔８４の第２大径部８４ｂの端面の間にはバネ８８が設けられている。このバネ８８により遊技釘７０には付勢力Ａが釘プレート７８の表面７８ｂから裏面７８ａへ向かう方向（図８において右方向）に予め与えられている。図８の遊技釘７０の状態は図７と同じである。押圧プレート８０の折返部８０ａ、８０ｂが釘プレート７８の枠８２の内側面に嵌り込んで、押圧プレート８０が釘プレート７８の裏面７８ａに対して位置決めされて密着すると共に固定保持されると、押圧プレート８０からの力Ｂが遊技釘７０に作用し、遊技釘７０が力Ｂの方向に移動し図６のように釘プレート７８から突出する。このとき、遊技釘７０の補強部７６は釘プレート７８の裏面７８ａに接触し、バネ８８は貫通孔８４の第２大径部８４ｂに収容される。遊技釘７０の補強部７６にはバネ８８を安定保持するための係合用窪み部７６ａが形成されている。図８の状態にあるとき、遊技釘７０の頭部７０ａは貫通孔８４の第１大径部８４ｃに収容され、遊技盤面７８ｂと面一になっている。
【００２９】
以上説明したように、本実施例によれば、どの遊技釘７０を遊技盤５２に突出させるかは、押圧プレート８０の釘孔８５の位置により決めることができる。よって、押圧プレート８０の釘孔８５の位置や数を変えるだけで、多様なゲージ構成を実現することができる。遊技釘７０と釘プレート７８は常に同じものを使用できるので、遊技釘７０と釘プレート７８をリサイクル使用することができる。また、遊技釘７０は釘プレート７８に打ち込まれていないので、遊技釘７０を釘プレート７８から容易に取り外すことができる。交換が必要となった遊技釘７０のみを取り外す作業を容易に行うことができる。また、設計段階において、色々なゲージ構成を試作する際に、とても便利である。
【００３０】
尚、本発明は上記した実施例に限定されない。例えば以下のような変形を施すことができる。
【００３１】
（１）押圧プレート８０と釘プレート７８と釘７０は遊技盤５２全面に亘って設けなくてもよい。例えば、遊技盤のデジタル表示部７２の左右にだけ設けてもよい。デジタル表示部７２上方の釘配置は、ほとんどのパチンコ機において同じ場合があるからである。
【００３２】
（２）上記実施例では図７の状態で遊技釘７０の補強部（釘後端ヘッド）７６と遊技釘７０の柄（ステム）部分の約半分が釘プレート７８から後方に露出していたが、図９のように遊技釘７０が釘プレート７８に埋設されるようにしてもよい。この場合、押圧プレート８０は突起９０を有する。その代わり、押圧プレート８０は釘孔８５を有さない。押圧プレート８０の突起９０が遊技釘７０の補強部７６を押し、押圧プレート８０が釘プレート７８の裏面７８ａに密接すると、遊技釘７０が図６のように遊技盤５２表面に突出することになる。釘プレートと略同一面積の板面状の押圧プレート８０には所定位置に所定数の突起９０が設けられる。押圧プレート８０を釘プレート７８に密着させると、釘プレート７８に形成された複数の貫通孔８４のうちの所定の貫通孔にのみ、上記所定数の突起９０が挿通されることになる。図９において貫通孔８４にはツバ部９１が設けられている。このツバ部９１と遊技釘７０の補強部７６の間にバネ８８が設けられており、押圧プレート８０により押される以前にあっては、遊技釘７０は矢印Ａ方向に付勢されている。尚、図９の遊技釘の長さは図８や図１０より短い。
【００３３】
（３）上記実施例では、押圧プレートを遊技盤後方から押し当てたが、遊技盤前方から押し当てるようにしてもよい。この場合、上記実施例とは反対の構造の釘プレート７８と押圧プレート８０を採用する。すなわち、図７が遊技盤の表側を示した図となる。そして押圧プレート８０の孔８５を通過する遊技釘７０が遊技盤面上に突出することになる。遊技釘７０の付勢方向は遊技盤の裏側から表側に向かう方向である。押圧プレートを釘プレートの表側から密着すると、押圧プレートに押された遊技釘は釘プレートの裏側に突出し、孔８５を通過した遊技釘（押圧プレートに押されない遊技釘）が遊技盤表面に出る（遊技盤表面に残ったままでいる）。孔８５は釘を遊技盤面上に突出させるための孔であるので、釘突出許容孔と称することができる。
【００３４】
（４）上記の説明では、釘プレートの厚さ方向において遊技釘に付勢力を予め付与するとしたが、上記方向に付勢力を付与しておくのではなく、図７の状態において遊技釘が所定位置から動かない程度に遊技釘を保持する構成を採用してもよい。例えば、図８のような構成（圧縮バネ８８を使用）にするのではなく、図１０のように板バネのような保持部材９３を貫通孔８４に設け、この保持部材９３により遊技釘７０を貫通孔８４内の所定位置に保持する。図１０の状態から押圧プレートで遊技釘７０を矢印Ｂ方向に押せば、遊技釘７０が釘プレート７８の表面７８ｂ側に突出する。
【００３５】
（５）補強部７６の形状は直方体に限られず、例えば、円筒体でもよい。また、遊技釘７０に押出動作に支障がなければ、補強部７６を設けなくてもよい。
【図面の簡単な説明】
【００３６】
【図１】従来の遊技盤構造の要部側断面図である。
【図２】別の従来の遊技盤構造の要部側断面図であり、（ａ）は遊技盤上部の正面図であり、（ｂ）は戻り防止装置の側断面図であり没状態の戻り防止釘を示しており、（ｃ）は戻り防止装置の側断面図であり突出状態の戻り防止釘を示している。
【図３】本発明の実施例によるパチンコ機の概略正面斜視図である。
【図４】図３のパチンコ機の遊技盤の斜視図である。
【図５】図３のパチンコ機の制御装置とこれに付随する要素のブロック図である。
【図６】図４の遊技盤の釘と釘プレートだけを示す斜視図である。
【図７】図６の斜視図を裏から見た状態で、構成要素を分解した展開斜視図である。
【図８】図７の釘プレートと釘の拡大断面図である。
【図９】変形実施例の要部を示す拡大断面図である。
【図１０】他の変形実施例の要部を示す拡大断面図である。
【符号の説明】
【００３７】
５０  パチンコ機（弾球遊技機）
７０  遊技釘
７８  釘プレート
８０  押圧プレート（釘選択手段）
８４  貫通孔
８５  釘孔（釘選択手段）
８８  バネ
９０  突起（釘選択手段）
９３  保持部材（保持手段）
Ａ  付勢力
【図１】
2009207725.tif 000003
【図２】
2009207725.tif 000004
【図３】
2009207725.tif 000005
【図４】
2009207725.tif 000006
【図５】
2009207725.tif 000007
【図６】
2009207725.tif 000008
【図７】
2009207725.tif 000009
【図８】
2009207725.tif 000010
【図９】
2009207725.tif 000011
【図１０】
2009207725.tif 000012